【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
画像ファイル生成装置であって、
撮影対象を撮像し、画像データを生成する画像データ生成手段と、
前記画像データに関する検証データを生成する検証データ生成手段と、
前記画像データと前記検証データとを画像ファイルとして記憶媒体へ記憶する記憶手段と、
前記記憶媒体に記憶され、前記画像ファイル生成装置に接続された外部の出力装置から指定された画像ファイルを前記出力装置へ送信する送信手段と、
前記検証データに基づいて前記指定された画像ファイルの検証を行う検証手段と、
前記検証手段で改竄が確認された場合、前記送信手段に対し、改竄を表す信号を前記出力装置へ送信するように制御する制御手段と、を備えた、ことを特徴とする画像ファイル生成装置。
【請求項２】
前記検証手段で改竄が確認された場合、前記制御手段は、前記送信手段に対し、前記指定された画像ファイルの前記出力装置への送信を停止するように制御する、ことを特徴とする請求項１に記載の画像ファイル生成装置。
【請求項３】
前記検証手段で改竄が確認された場合、前記制御手段は、前記送信手段に対し、前記改竄を表す信号と共に前記指定された画像ファイルを前記出力装置へ送信するように制御する、ことを特徴とする請求項１に記載の画像ファイル生成装置。
【請求項４】
前記検証データはハッシュ関数および暗号関数のうちの少なくとも一方を用いて生成される、ことを特徴とする請求項１乃至３のいずれか１項に記載の画像ファイル生成装置。
【請求項５】
前記画像ファイル生成装置は、デジタルカメラ、スキャナー、複写機、パーソナルコンピュータのいずれか１つである、ことを特徴とする請求項１乃至４のいずれか１項に記載の画像ファイル生成装置。
【請求項６】
前記出力装置は印刷装置である、ことを特徴とする請求項５に記載の画像ファイル生成装置。
【請求項７】
画像ファイル生成装置における画像ファイル生成方法であって、
撮影対象を撮像し、画像データを生成する画像データ生成工程と、
前記画像データに関する検証データを生成する検証データ生成工程と、
前記画像データと前記検証データとを画像ファイルとして記憶媒体へ記憶する記憶工程と、
前記記憶媒体に記憶され、前記画像ファイル生成装置に接続された外部の出力装置から指定された画像ファイルを前記出力装置へ送信する送信工程と、
前記検証データに基づいて前記指定された画像ファイルの検証を行う検証工程と、
前記検証工程で改竄が確認された場合、前記送信工程に対し、改竄を表す信号を前記出力装置へ送信するように制御する制御工程と、を備えた、ことを特徴とする画像ファイル生成方法。
【請求項８】
前記検証工程で改竄が確認された場合、前記制御工程は、前記送信工程に対し、前記指定された画像ファイルの前記出力装置への送信を停止するように制御する、ことを特徴とする請求項７に記載の画像ファイル生成方法。
【請求項９】
前記検証工程で改竄が確認された場合、前記制御工程は、前記送信工程に対し、前記改竄を表す信号と共に前記指定された画像ファイルを前記出力装置へ送信するように制御する、ことを特徴とする請求項７に記載の画像ファイル生成方法。
【請求項１０】
請求項７乃至９のいずれか１項に記載の画像ファイル生成方法の各工程をコンピュータに実行させるためのプログラム。
【請求項１１】
請求項１０に記載のプログラムを記録したコンピュータ可読記憶媒体。
【請求項１２】
出力装置であって、
前記出力装置に接続された外部の画像ファイル生成装置から提示された複数の画像ファイルのなかの特定の画像ファイルの送信を要求する指定手段と、
前記指定手段で指定された前記画像ファイル生成装置から送信される前記特定の画像ファイルを受信する受信手段と、
前記特定の画像ファイルの改竄が前記画像ファイル生成装置において確認されなかったら、前記特定の画像ファイルに含まれる画像データの印刷を実行する印刷手段と、
前記特定の画像ファイルの改竄が前記画像ファイル生成装置において確認されたら、前記画像ファイル生成装置から送信される改竄を表すデータを受信し、改竄を表す表示をする表示手段と、を備え、
前記表示手段で改竄を表す表示を行ったときは、前記印刷手段は、前記特定の画像ファイルに含まれる画像データの印刷を実行しない、ことを特徴とする出力装置。
【請求項１３】
出力装置であって、
前記出力装置に接続された外部の画像ファイル生成装置から提示された複数の画像ファイルのなかの特定の画像ファイルの転送を要求する指定手段と、
前記指定手段で指定された前記画像ファイル生成装置から送信される前記特定の画像ファイルを受信する受信手段と、
前記特定の画像ファイルの改竄が前記画像ファイル生成装置において確認されなかったら、前記特定の画像ファイルに含まれる画像データの印刷を実行する印刷手段と、
前記特定の画像ファイルの改竄が前記画像ファイル生成装置において確認されたら、前記画像ファイル生成装置から送信される改竄を表すデータを受信し、改竄を表す表示をする表示手段と、を備え、
前記表示手段で改竄を表す表示を行ったときは、前記印刷手段は、ユーザからの要求がある場合に限り、前記特定の画像ファイルに含まれる画像データの印刷を実行する、ことを特徴とする出力装置。
【請求項１４】
前記印刷手段は、前記改竄が確認された前記特定の画像ファイルに含まれる画像データの印刷を実行するときは、改竄の事実が確認できるように前記特定の画像ファイルに含まれる画像データを記録媒体に印刷する、ことを特徴とする請求項１３に記載の出力装置。
【手続補正２】
【補正対象書類名】明細書
【補正対象項目名】００１２
【補正方法】変更
【補正の内容】
【００１２】
前記課題を解決するために、本発明の実施形態においては、画像ファイル生成装置であって、撮影対象を撮像し、画像データを生成する画像データ生成手段と、前記画像データに関する検証データを生成する検証データ生成手段と、前記画像データと前記検証データとを画像ファイルとして記憶媒体へ記憶する記憶手段と、前記記憶媒体に記憶され、前記画像ファイル生成装置に接続された外部の出力装置から指定された画像ファイルを前記出力装置へ送信する送信手段と、前記検証データに基づいて前記指定された画像ファイルの検証を行う検証手段と、前記検証手段で改竄が確認された場合、前記送信手段に対し、改竄を表す信号を前記出力装置へ送信するように制御する制御手段と、を備えた画像ファイル生成装置を提供する。
【手続補正３】
【補正対象書類名】明細書
【補正対象項目名】００１３
【補正方法】変更
【補正の内容】
【００１３】
前記課題を解決するために、本発明の他の実施形態においては、画像ファイル生成装置における画像ファイル生成方法であって、撮影対象を撮像し、画像データを生成する画像データ生成工程と、前記画像データに関する検証データを生成する検証データ生成工程と、前記画像データと前記検証データとを画像ファイルとして記憶媒体へ記憶する記憶工程と、前記記憶媒体に記憶され、前記画像ファイル生成装置に接続された外部の出力装置から指定された画像ファイルを前記出力装置へ送信する送信工程と、前記検証データに基づいて前記指定された画像ファイルの検証を行う検証工程と、前記検証工程で改竄が確認された場合、前記送信工程に対し、改竄を表す信号を前記出力装置へ送信するように制御する制御工程と、を備えた画像ファイル生成方法を提供する。
【手続補正４】
【補正対象書類名】明細書
【補正対象項目名】００１４
【補正方法】変更
【補正の内容】
【００１４】
前記課題を解決するために、本発明のさらに他の実施形態においては、前記実施形態の画像ファイル生成方法の各工程をコンピュータに実行させるためのプログラムを提供する。
【手続補正５】
【補正対象書類名】明細書
【補正対象項目名】００１５
【補正方法】変更
【補正の内容】
【００１５】
前記課題を解決するために、本発明のさらに他の実施形態においては、前記実施形態のプログラムを記録したコンピュータ可読記憶媒体を提供する。
【手続補正６】
【補正対象書類名】明細書
【補正対象項目名】００１６
【補正方法】変更
【補正の内容】
【００１６】
前記課題を解決するために、本発明のさらに他の実施形態においては、出力装置であって、前記出力装置に接続された外部の画像ファイル生成装置から提示された複数の画像ファイルのなかの特定の画像ファイルの送信を要求する指定手段と、前記指定手段で指定された前記画像ファイル生成装置から送信される前記特定の画像ファイルを受信する受信手段と、前記特定の画像ファイルの改竄が前記画像ファイル生成装置において確認されなかったら、前記特定の画像ファイルに含まれる画像データの印刷を実行する印刷手段と、前記特定の画像ファイルの改竄が前記画像ファイル生成装置において確認されたら、前記画像ファイル生成装置から送信される改竄を表すデータを受信し、改竄を表す表示をする表示手段と、を備え、前記表示手段で改竄を表す表示を行ったときは、前記印刷手段は、前記特定の画像ファイルに含まれる画像データの印刷を実行しない出力装置を提供する。
【手続補正７】
【補正対象書類名】明細書
【補正対象項目名】００１７
【補正方法】変更
【補正の内容】
【００１７】
前記課題を解決するために、本発明のさらに他の実施形態においては、出力装置であって、前記出力装置に接続された外部の画像ファイル生成装置から提示された複数の画像ファイルのなかの特定の画像ファイルの転送を要求する指定手段と、前記指定手段で指定された前記画像ファイル生成装置から送信される前記特定の画像ファイルを受信する受信手段と、前記特定の画像ファイルの改竄が前記画像ファイル生成装置において確認されなかったら、前記特定の画像ファイルに含まれる画像データの印刷を実行する印刷手段と、前記特定の画像ファイルの改竄が前記画像ファイル生成装置において確認されたら、前記画像ファイル生成装置から送信される改竄を表すデータを受信し、改竄を表す表示をする表示手段と、を備え、前記表示手段で改竄を表す表示を行ったときは、前記印刷手段は、ユーザからの要求がある場合に限り、前記特定の画像ファイルに含まれる画像データの印刷を実行する出力装置を提供する。